(57)【要約】【課題】  従来の横向きのフィラメントのランプにあっては、フィラメントに対するミラーの方向により捉えられるフィラメント像の形や大きさが変化するため、フィラメントの最大像を捉えることができる方向は限られ設計の自由度が小さくなり、また、ランプとして大きな出力のものを使用する必要が生じると共に、ミラーの面斜面の大きなものを使用しない限り、照射面の照度、色温度の向上が図れないといった問題があった。【解決手段】  ランプ４３のフィラメント４３ａを縦形にすると共にミラー４１の反射面を、縦形フィラメントよりの光束を多く捕捉することで、ランプの出力増大およびミラーの口径を大きくすることなく照度、色温度を向上させ、かつ、照射パターンを長方形状とすることができる形状とした診療用照明装置である。【選択図】        図３
2005085652.tif 000002
【特許請求の範囲】
【請求項１】
略椀状に形成されたミラーの中心部に、該ミラー内に突出して固定されたランプホルダーを配置し、該ランプホルダーにハロゲンランプ等のランプを装着し、該ランプよりの光を前記ミラーによって前方に反射すると共に、前記ミラーの前面に配置されたミラーカバーを透過して放射するようにした治療用照明装置において、前記ランプのフィラメントを縦形にすると共に前記ミラーの反射面を、縦形フィラメントよりの光束を多く捕捉することで、ランプの出力増大およびミラーの口径を大きくすることなく照度、色温度を向上させ、かつ、照射パターンを長方形状とすることができる形状としたことを特徴とする治療用照明装置。
【請求項２】
前記ランプホルダーに装着されたランプのグレア源よりの光がミラーによって反射されてグレアを形成せず、かつ、必要光束の損失が無いように遮光するための形状をしたランプボトム遮光板をランプの外周に配置したことを特徴とする請求項１記載の治療用照明装置。
【請求項３】
前記ミラーの前面に配置されるミラーカバーの折り返して形成した鍔部を、前記ランプの縦形フィラメント根元から放射される直射光を拡散するために粗面としたことを特徴とする請求項１記載の治療用照明装置。
【請求項４】
前記ランプの縦形フィラメントの基部側から放射される直射光が前記ミラーに放射されるのを防止するためのミラーナットを、前記ランプホルダーに取付けたことを特徴とする請求項１記載の治療用照明装置。
【発明の詳細な説明】
【技術分野】
【０００１】
本発明は、医療、特に、歯科用治療において患者の口元を照明するのに適した無影灯効果を持つ診療用照明装置に関する。
【背景技術】
【０００２】
従来における歯科用治療の時に患者の口元を照明する照明装置としては、患者の口元を照明するのにランプからの光をミラーから長方形状や長円形状となるようにし、このような照射光とすることで、ミラーよりの光が患者の目に差し込まないようにしていた。
【０００３】
このような照明装置としては、例えば、実願平１０−６７３７号（実用新案登録第３０５７１７８号）に開示されている技術がある。この出願の技術にはランプのフィラメントが横向きに配置され、この横向きのフィラメントから放射される光が前記した長方形状や長円形状で放射されるようにミラーの形状を設計していた。
【特許文献１】実用新案登録第３０５７１７８号公報
【発明の開示】
【発明が解決しようとする課題】
【０００４】
ところで、前記したような横向きのフィラメントのランプにあっては、フィラメントに対するミラーの方向により捉えられるフィラメント像の形や大きさが変化するため、フィラメントの最大像を捉えることができる方向は限られ設計の自由度が小さくなり、また、ランプとして大きな出力のものを使用する必要が生じると共に、ミラーの反射面の大きなものを使用しない限り、照射面の照度、色温度の向上が図れないといった問題があった。
【０００５】
本発明は前記した問題点を解決せんとするもので、その目的とするところは、ランプに縦形のフィラメントを使用した光学系とし、ミラーのあらゆる方向からフィラメントのあらゆる方向からフィラメントの最大像を捉えるようにすることで、ランプの出力を従来と同じランプにし、かつ、ミラーの反射面積を小さくしても捕捉光束の増加を図って照射面における照度を維持しつつ、色温度を向上させることができる診療用照明装置を提供せんとするにある。
【課題を解決するための手段】
【０００６】
本発明の診療用照明装置は前記した目的を達成せんとするもので、請求項１の手段は、略椀状に形成されたミラーの中心部に、該ミラー内に突出して固定されたランプホルダーを配置し、該ランプホルダーにハロゲンランプ等のランプを装着し、該ランプよりの光を前記ミラーによって前方に反射すると共に、前記ミラーの前面に配置されたミラーカバープを透過して放射するようにした治療用照明装置において、前記ランプのフィラメントを縦形にすると共に前記ミラーの反射面を、縦形フィラメントよりの光束を多く捕捉することで、ランプの出力増大およびミラーの口径を大きくすることなく照度、色温度を向上させ、かつ、反射パターンを長方形状とすることができる形状としたことを特徴とする。
【０００７】
請求項２の手段は、前記した請求項１の手段において、前記ランプホルダーに装着されたランプのグレア源よりの光がミラーによって反射されてグレアを形成せず、かつ、必要光束の損失が無いように遮光するための形状をしたランプボトム遮光板をランプの外周に配置したことを特徴とする。
【０００８】
請求項３の手段は、前記した請求項１の手段において、前記ミラーの前面に配置されるミラーカバーの折り返して形成した鍔部を、前記ランプの縦形フィラメント根元から放射される直射光を拡散するために粗面としたことを特徴とする。
【０００９】
請求項４の手段は、前記した請求項１の手段において、前記ランプの縦形フィラメントの基部側から放射される直射光が前記ミラーに放射されるのを防止するためのミラーナットを、前記ランプホルダーに取付けたことを特徴とする。
【発明の効果】
【００１０】
本発明は前記したように、ランプのフィラメントを縦形にすると共にミラーの反射面を、縦形フィラメントよりの光束を多く捕捉することで、ランプの出力増大およびミラーの口径を大きくすることなく照度、色温度を向上させ、かつ、照射パターンを長方形状とすることができる形状としたことにより、照度を維持しつつ、色温度を向上できるので演色性が向上し、より精度の高い治療、診療に寄与することができ、かつ、ランプ出力の増大を伴わないので、製品の消費電力が増大することがなく、また、ミラーの面積を従来品より小さくできるので、取り扱いが容易に行える。
【００１１】
また、ランプボトム遮光板をランプの外周に配置し、さらに、ミラーより漏れるランプの縦形フィラメント両端から放射される直射光を拡散するためにミラーカバーの鍔部を粗面としたことり、医師や患者に対して幻惑を与えることがなく、また、フィラメントの基部側から放射される直射光がミラーに放射されるのを防止するためのミラーナットをランプホルダーに取付けたことにより、照射面を正確な長方形状とすることができ、これにより、治療や診療の際に正確に患者の患部のみを照明することが可能になる等の効果を有するものである。
【発明を実施するための最良の形態】
【００１２】
本発明は、ランプのフィラメントを縦形にすると共に前記ミラーの反射面を、縦形フィラメントよりの光束を多く捕捉することで、ランプの出力増大およびミラーの口径を大きくすることなく照度、色温度を向上させ、かつ、照射パターンを長方形状とすることができる。
【実施例１】
【００１３】
以下、本発明に係る診療用照明装置（歯科用に応用した場合）の実施例を図１〜図９と共に説明する。
図１、図２は全体の正面図と側面図とを示し、１は例えば、スピットンボールやアシスタントが使用する器具が装備されている機器から起立されたＬ字状の起立杆、２は該起立杆１の水平部先端に一端が垂直軸を支点として回動自在に軸支された上下方向に回動するバランスアーム、３は該バランスアーム２の他端に水平軸を支点として回動自在に取付けられたヨークにして、該ヨーク３は前記バランスアーム２の軸支されたヨークジョイント３ａと、該ヨークジョイント３ａに対して回転自在に形成されたヨーク本体３ｂとより構成されている。
【００１４】
また、ヨーク本体３ｂには斜め下方に延長された半円弧状のアーム３ｃが形成されており、該アーム３ｃに対して水平軸を支点として回動自在にブラケットフレーム（図示せず）が取付けられ、このブラケットフレームに対して本発明の照明装置４が固定されている。そして、照明装置４の左右両側にはハンドル４ａが固定されており、該ハンドル４ａを操作することで前記した各軸部によって水平方向、垂直方向および左右方向に照明装置４を変位させることができ、これにより、照明装置４より放射される放射光を患者の口元に向けることが可能となっている。なお、４ｂは前記ブラケットフレームの背面を覆うブラケットカバーである。
【００１５】
次に、照明装置４の詳細を図３〜図１０と共に説明するに、照明装置４は椀状に形成されたミラー４１と、該ミラー４１の中心に形成された孔４１ａに取付けられるランプホルダー手段４２と、該ランプホルダー４２に装着されるハロゲンランプであって、フィラメント４３ａがガラス管の長手方向（縦形）に沿って形成されたランプ４３と、前記ランプホルダー手段４２におけるランプホルダー４２ａに取付けられたランプボトム遮光板４４と、前記ハンドル４ａに対して着脱自在に取付けられ、該取付状態において前記ミラー４１の前面に配置されるミラーカバー４５とから構成されている。
【００１６】
ミラー４１の反射面の形状は、縦形フィラメント４３ａよりの光束を多く捕捉することで、ランプの出力増大およびミラーの口径を大きくすることなく照度、色温度を向上させ、かつ、照射面を長方形状とすることができる形状としたものである。
【００１７】
ランプホルダー手段４２は、ランプ４３が挿入される孔が開口されたランプホルダー４２ａと、該ランプホルダー４２ａの外周に嵌合されるミラー押え軸４２ｂと、該ミラー押え軸４２ｂの外周に嵌合されたソケットホルダー４２ｃと、前記ランプホルダー４２ａをミラー４１の裏面側から前記孔４１ａ内に挿入した状態において、ミラー４１の前面側から前記ミラー押え軸４２ｂに嵌合することで、前記ソケットホルダー４２ｃとによってミラー４１に挟持固定するためのミラーナット４２ｄとから構成されている。そして、ミラー４１に固定されたソケットホルダー４２ｃを利用して前記ブラケットフレームに固定することで、照明装置４は固定される（図３〜図５参照）。
【００１８】
ランプ４３をランプホルダー４２ａに固定する手段としては、ランプ４３をランプホルダー４２ａの背面側（開口部側）から挿入して位置決めした状態においてＵ字状に形成されたランプ押えバネ４６の一端をランプホルダー４２ａから突出した突片４２ａ1 に係止させ、他端をランプホルダー４２ａから突出した他の突片４２ａ2 に係合することで、ランプ４３はランプ押えバネ４５のＵ字状の湾曲部でランプホルダー４２ａに弾性力で押さえられ固定される（図３、図７参照）。
【００１９】
ランプボトム遮光板４４は前記したようにランプホルダー４２ａのミラー側に固定されており正面形状は略楕円形に形成され、また、楕円形状の長手方向の側面から見るとなだらかな山形形状４４ａに形成されている。そして、ランプ４３をランプホルダー４２ａに取付けた状態において、該ランプ４３の細く絞られた部分であるグレア源４３ｂの位置が、前記山形形状４４ａに対向するように配置されている（図４、図５参照）。
【００２０】
ミラーカバー４５は僅かに湾曲された円盤部４５ａと、該円盤部４５ａの外周より湾曲面側に向かって折り返された鍔部４５ｂとから形成されている。前記鍔部４５ｂは前記ミラー４１の開口部直径より僅かに大きく形成され、かつ、粗面に形成され、後述するようにランプ４３のフィラメント４３ａからミラー４１で反射されずに出光する光を拡散している。
【００２１】
また、ミラーカバー４５における円盤部４５ａの中心部に開口された孔４５ａ1 にはランプキャップブラケット４５ｃが内側から嵌め込まれ、該ランプキャップブラケット４５ｃから表面側に突出した雌ネジ部に円盤部４５ａの外側からランプ外キャップ４５ｄがねじ込まれ固定されている。前記ランプキャップブラケット４５ｃの中心にはネジ孔が形成され、該ネジ孔にネジ４５ｅがねじ込まれ、ランプキャップブラケット４５ｃより突出したネジ４５ｅにはランプ内キャップ４５ｆが取付けられている。
【００２２】
さらに、前記ミラーカバー４５における前記鍔部４５ｂには、ガイド用突片４５ｂ1 および係止用突片４５ｂ2 と、これらの突片４５ｂ1 ，４５ｂ2 と相対向する位置にガイド用突片４５ｂ3 とが形成されている。なお、係止用突片４５ｂ1 は外側に向かって湾曲した形状となっている。なお、係止用突片４５ｂ1 はガイド用突片４５ｂ3 側にも形成してもよい。
【００２３】
一方、前記した２つのハンドル４ａにおけるそれぞれの内側には、前記したガイド用突片４５ｂ2 がガイドされるガイド溝４ａ1 が形成され、かつ、該ガイド溝４ａ1 と切欠部４ａ2 を介して溝幅が狭い係止溝４ａ3 が連続して形成されている（図９、図１０参照）。
【００２４】
このように構成されたミラーカバー４５は相対向して配置されたハンドル４ａに対してガイド用突片４５ｂ2 ，４５ｂ3 を、各ハンドル４ａのガイド溝４ａ1 にミラーカバー４５を回転させながら挿入する。そして、この挿入時において係止用突片４５ｂ1 が溝幅の狭い係止溝４ａ3 内に入り込むと、係止用突片４５ｂ1 が湾曲していることから、該係止用突片４５ｂ1 は切欠部４ａ2 内に入り込みミラーカバー４５の回転を防止する状態となり、ミラーカバー４５はハンドル４ａに固定される。
【００２５】
なお、ミラーカバー４５をハンドル４ａから外すには、切欠部４ａ2 内に入り込んでいる係止用突片４５ｂ1 を、切欠部４ａ2 側からピンのような工具を使用して押し込み切欠部４ａ2 から離脱させることでミラーカバー４５はハンドル４ａに対して回転させることが可能となるので容易に外すことができる。
【００２６】
そして、ミラーカバー４５をハンドル４ａに対して固定することで、図３に示すようにミラーカバー４５はミラー４１の開口部を僅かな隙間を隔てて配置される。この状態において、ランプ内キャップ４５ｆはランプ４３の頂部を覆う状態となるので、ランプ４３より放射される光が外部に漏れるのを防止している。なお、ネジ４５ｅを調整することでランプ内キャップ４５ｆとランプ４３との間隔を調整することができるので、ランプ頂部から外部へ漏れる光を確実に防止することができる。
【００２７】
次に、ランプ４３からの光とミラー４１との関係について説明する。
先ず、ランプ４３の縦形フィラメント４３ａよりの光はミラー４１に向かって放射される。ここで、ミラー４１の反射面は縦形フィラメント４３ａよりの光束を多く捕捉することで、ランプの出力増大およびミラーの口径を大きくすることなく照度、色温度を向上させ、かつ、照射面を長方形状とすることができるようになっているので、医師がハンドル４ａを操作して患者の口元に前記長方形状の反射光が照射されるようにすることで、照度を維持しつつ色温度を向上できるので、演色性が向上して、より精度の高い治療や診療を行うことができる。
【００２８】
また、図３、図４に示すように、ランプ４３の細く絞られた部分であるグレア源４３ｂの位置に、ランプボトム遮光板４４の山形形状４４ａが対向していることから、グレア源４３ａから漏れる診療に不要な光は山形形状４４ａによって遮光されるので、必要光束のみがミラー４１に達することとなり、従って、前記長方形状の照射光より外れた放射光が放射されることがなく、患者に対して眩しさを与えることがない。
【００２９】
さらに、図３に示すように、ランプ４３のフィラメント４３ａを縦形としたことにより、該フィラメント４３ａの根元からの光はミラー４１の開口部より外側に放射される。このミラー４１で反射されない直射光は、ミラーカバー４５の鍔部４５ｂに達するが、該鍔部４５ｂは粗面に形成されているので、前記フィラメント４３ａよりの直射光は拡散される。従って、照度の高い光が外部に放射されることがなく、患者や医師、アシスタントに眩しさを与えることがない。
【産業上の利用可能性】
【００３０】
前記した実施例にあっては、歯科用の照明装置として説明したが、その他の診療、例えば、産婦人科、泌尿器科等の診療、治療において、施術患部や医師の作業手元部位を照明するものにも応用できるものである。
【図面の簡単な説明】
【００３１】
【図１】診療用照明装置の全体を示す正面図である。
【図２】同上の側面図である。
【図３】照明装置部分の断面図である。
【図４】同上のミラーカバーを取り外した状態におけるミラー部分を断面した斜視図である。
【図５】同上の側面図である。
【図６】ミラーの正面図である。
【図７】同上の背面図である。
【図８】ハンドルにミラーカバーを取付けた状態の正面図である。
【図９】ハンドルとミラーカバーとの取付状態の要部を示す断面図である。
【図１０】ハンドルのミラーカバーにおける係止用突片とガイド用突片が挿入される溝を示した正面図である。
【符号の説明】
【００３２】
４１        ミラー
４２        ランプホルダー手段
４２ａ      ランプホルダー
４３        ランプ
４３ａ      縦形フィラメント
４４        ランプボトム遮光板
４５        ミラーカバー
４５ｂ      鍔部
【図１】
2005085652.tif 000003
【図２】
2005085652.tif 000004
【図３】
2005085652.tif 000005
【図４】
2005085652.tif 000006
【図５】
2005085652.tif 000007
【図６】
2005085652.tif 000008
【図７】
2005085652.tif 000009
【図８】
2005085652.tif 000010
【図９】
2005085652.tif 000011
【図１０】
2005085652.tif 000012